(57)【特許請求の範囲】
【請求項１】
複数に分割したブロックを遊間を跨ぐようにして連結して埋設する橋梁ジョイントであって、隣り合うブロック同士を、目地間隙が伸縮可能になるようにして、一方のブロックに埋設されている棒状体と他方のブロックに埋設されている筒状体からなる連結具により連結してなることを特徴とする橋梁用埋設ジョイント。
【請求項２】
複数に分割したブロックを遊間を跨ぐようにして連結して埋設する橋梁ジョイントであって、隣り合うブロック同士を、目地間隙が伸縮可能になるようにして、一方のブロックに埋設されている棒状体と他方のブロックに埋設されている筒状体とを他方のブロックに形成された連結用箱抜き部を介して連結してなることを特徴とする橋梁用埋設ジョイント。
【請求項３】
複数に分割したブロックを遊間を跨ぐようにして連結して埋設する橋梁ジョイントであって、隣り合うブロック同士を、目地間隙が伸縮可能になるように伸縮材を介装するとともに、一方のブロックに埋設されている棒状体と他方のブロックに埋設されている筒状体からなる連結具により連結してなることを特徴とする橋梁用埋設ジョイント。
【請求項４】
複数に分割したブロックを遊間を跨ぐようにして連結して埋設する橋梁ジョイントであって、隣り合うブロック同士を、目地間隙が伸縮可能になるように伸縮材を介装するとともに、一方のブロックに埋設されている棒状体と他方のブロックに埋設されている筒所体とを他方のブロックに形成された連結用箱抜き部を介して連結してなることを特徴とする橋梁用埋設ジョイント。
【請求項５】
複数に分割したブロックを遊間を跨ぐようにして連結して埋設する橋梁ジョイントであって、隣り合うブロック同士を、目地間隙が伸縮可能になるようにして、一方のブロックに埋設されている棒状体と他方のブロックに埋設されている筒状体とを他方のブロックに形成された連結用箱抜き部を介して連結するとともに少なくとも連結されている両側のブロックのそれぞれを遊間をはさんで向い合う床板のそれぞれに、両側のブロックに開口したアンカーボルト用箱抜き部を利用して床板に埋設したコンクリートアンカーに固定してなることを特徴とする橋梁用埋設ジョイント。
【発明の詳細な説明】
【技術分野】
【０００１】
本発明は、高架道路、河川、渓谷等における道路橋梁物に設置される埋設ジョイント及びその施工方法に関する。
【背景技術】
【０００２】
一般的な埋設ジョイントは、適用遊間が狭く、また、大遊間に適用できるものでも施工範囲が広く工事が大掛かりになる。
【０００３】
そこで、これまでにも埋設ジョイントに関するつぎのような幾つかの提案がなされている。
【０００４】
施工方法としては、第１の部材と第２の部材に跨るようにコンクリートブロックを設け、第１の部材、第２の部材及びコンクリートブロックの上面端部の２ヶ所に、埋設ジョイントを設け、第１の部材、第２の部材及びコンクリートブロックの上面にアスファルトを設ける伸縮継手の施工方法が提案されている。
【０００５】
この提案は、伸縮量の大きい橋梁に適用することの効果は認められるものの、伸縮個所が２ヶ所と少なく、舗装内埋設ジョイントに損傷をきたすおそれがある。また、コンクリートブロックの支持をゴムで行っているため舗装背割れする可能性もある。
【０００６】
また、道路遊間補強材として桁又は床版上に設けられるスライディングシートや滑材とは別個に、このスライディングシートや滑材との滑りを良くするために、ジョイント部材下面にも樹脂からなる滑り層を体成型又は接着した道路遊間補強材が提案されている。
【０００７】
この提案は、ジョイント部全体の滑動可能な範囲に歪を分散させ、舗装部のひびや亀裂等の局部的なクラック防止の効果は認められるものの伸縮個所がないため効果は限定的である。
【０００８】
さらには、埋設ジョイントとして上側を閉じた複数の鋼製ボックスを同一面内に配置し、これら鋼製ボックスをゴム材により互いに連結した埋設ジョイントが提案されている。
【０００９】
この提案は、舗装路表面におけるクラックの発生を防止することの効果は認められるものの、伸縮部がゴム製であるため、荷重を支持できず、舗装が埋没するおそれがある。
【先行技術文献】
【特許文献】
【００１０】
【特許文献１】特開２０００−１７８９１３
【特許文献２】特開平１０−２９８９０７
【特許文献３】特開平１１−１２４８０７
【発明の概要】
【発明が解決しようとする課題】
【００１１】
このように従来の埋設ジョイントは、伸縮遊間に対し、ジョイント全体が変形して伸縮を吸収するため、遊間部の変形が大きくなり、ひび割れが生じやすく、また、強度が不足するため、遊間が広い場合には適用できないという課題を有していた。
【課題を解決するための手段】
【００１２】
基本的には、複数に分割したブロックを遊間を跨ぐようにして連結して埋設する橋梁用埋設ジョイントであって、隣り合うブロック同士を、目地間隙が伸縮可能になるようにして連結具により連結してなる橋梁用埋設ジョイントに関する。
【００１３】
詳しくは、複数に分割したブロックを遊間を跨ぐようにして連結して埋設する橋梁ジョイントであって、隣り合うブロック同士を、目地間隙が伸縮可能になるようにして、一方のブロックに埋設されている棒状体と他方のブロックに埋設されている筒状体からなる連結具により連結してなることを特徴とする橋梁用埋設ジョイントを提供する。
【００１４】
詳しくは、複数に分割したブロックを遊間を跨ぐようにして連結して埋設する橋梁ジョイントであって、隣り合うブロック同士を、目地間隙が伸縮可能になるようにして、一方のブロックに埋設されている棒状体と他方のブロックに埋設されている筒状体とを他方のブロックに形成された連結用箱抜き部を介して連結してなることを特徴とする橋梁用埋設ジョイントを提供する。
【００１５】
詳しくは、複数に分割したブロックを遊間を跨ぐようにして連結して埋設する橋梁ジョイントであって、隣り合うブロック同士を、目地間隙が伸縮可能になるように伸縮材を介装するとともに、一方のブロックに埋設されている棒状体と他方のブロックに埋設されている筒状体からなる連結具により連結してなることを特徴とする橋梁用埋設ジョイントを提供する。
【００１６】
詳しくは、複数に分割したブロックを遊間を跨ぐようにして連結して埋設する橋梁ジョイントであって、隣り合うブロック同士を、目地間隙が伸縮可能になるように伸縮材を介装するとともに、一方のブロックに埋設されている棒状体と他方のブロックに埋設されている筒状体とを他方のブロックに形成された連結用箱抜き部を介して連結してなることを特徴とする橋梁用埋設ジョイントを提供する。
【００１７】
詳しくは、複数に分割したブロックを遊間を跨ぐようにして連結して埋設する橋梁ジョイントであって、隣り合うブロック同士を、目地間隙が伸縮可能になるようにして、一方のブロックに埋設されている棒状体と他方のブロックに埋設されている筒状体とを他方のブロックに形成された連結用箱抜き部を介して連結するとともに少なくとも連結されている両側のブロックのそれぞれを遊間をはさんで向い合う床版のそれぞれに、両側のブロックに開口したアンカーボルト用箱抜き部を利用して床版に埋設したコンクリートアンカーに固定してなることを特徴とする橋梁用埋設ジョイントを提供する。
【発明の効果】
【００１８】
請求項１乃至請求項５において、埋設ジョイントは遊間部を跨ぐ高強度のブロックを配置できるため、例えば100ｍｍ程度の大きな遊間にも適用できる。
【００１９】
請求項１乃至請求項５において、埋設ジョイント本体は、複数に分割されているので、伸縮の分散性を向上させることができる。
【００２０】
請求項１乃至請求項５において、埋設用ジョイントは、本体を複数うブロックに分割し、これらを連結具により伸縮可能に連結し、目地間隙を調整可能にした構成となっているので、諸々の条件に合わせた所定の間隙での設置が可能である。
【００２１】
請求項２及び請求項５において、埋設ジョイントは、ブロック同士の連結が一方のブロックに埋設されている棒状体と他方のブロックに埋設した筒状体を他方のブロックに形成した箱抜き部を介して連結する構成となっているので、その施工は容易である。
【００２２】
請求項３及び請求項５において、埋設用ジョイントは、ブロックの目地間隙に伸縮材を介した構成となっているので、均一な伸縮量の分散が図れるに加え、連結具が過剰な伸びを抑える。したがって、上面に敷設する舗装のクラック等の損傷を防止できる。
【００２３】
請求項５において、埋設ジョイントは、ブロックと床板とを両側のブロックに開口したアンカーボルト用箱抜き部を利用して、床板に埋設したコンクリートアンカーを用いて固定してなるので、その施工は通常のジョイントと同程度の容易さで施行できる。
【図面の簡単な説明】
【００２４】
【図１】図１は、埋設ジョイントの５分割状態を示す一部破断平面図。
【図２】図２は、図１のＡ−Ａ方向概略断面図。
【図３】図３は、埋設ジョイントのブロック連結状態を示す一部破断平面図。
【図４】図４は、図３のＢ−Ｂ方向概略断面図。
【図５】図５は、連結用箱抜き部にモルタルを充填した状態を示す一部破断平面図。
【図６】図６は、図５のＣ−Ｃ断面図。
【図７】図７は、埋設ジョイントを施工した橋梁の概略斜視図。
【図８】図８は、埋設ジョイントを施工した橋梁の概略断面図
【図９】図９は、埋設ジョイントの気温に連動した伸縮状態（設置時）を示す概略断面図。
【図１０】図１０は、埋設ジョイントの気温に連動した伸縮状態（拡大時）を示す概略断面図。
【図１１】図１１は、埋設ジョイントの気温に連動した伸縮状態（縮小時）を示す概略断面図。
【発明を実施するための形態】
【００２５】
本発明は、大掛かりな工事をすることなく、通常のジョイントと同程度の範囲で、大きな遊間に対応でき、かつ、十分に荷重を支持することのできる埋設ジョイントを実現した。
【００２６】
図１乃至図６は、本発明に係る埋設ジョイントの製作過程を示す説明図で、図１、図３及び図５は一部破断平面図、図２、図４及び図６はそれぞれ図１、図３及び図５のＡ−Ａ方向、Ｂ−Ｂ方向及びＣ−Ｃ方向すなわち橋軸方向を見た断面図である。
【００２７】
上図において、１ａ、１ｂ、１ｃ、１ｄ及び１ｅは、ジョイント本体１を分割して隣り合うそれぞれブロックで、１ａ、１ｃ、１ｅは一方のブロック、１ｂ、１ｄは他方のブロック、２は棒状体としてのボルト、３は筒状体、４はナット、５は連結用箱抜き部、６はアンカーボルト用箱抜き部、７は目地間隙、８は伸縮材、９は充填材である。ブロックはいずれも超高強度繊維補強コンクリート製である。この図において、ボルト２、筒状体３及びナット４により連結具を構成する。
【００２８】
この例において、埋設ジョイント１は、図１及び図２に示すように５つのブロックからなっているが、３つのブロックから適用可能である。
【００２９】
ブロック１ｂ及びブロック１ｄには、筒状体３が隣り合うブロック１ａ、１ｃ及び１ｅのそれぞれに埋設されたボルト２を嵌合可能に埋設されている。６は埋設ジョイント１を床版に取付ける際のアンカーボルト用箱抜き部である。ここで、ブロック１ｃは両側に隣り合うブロック１ｂ及び１ｄに埋設された筒状体３に対応できるようにそれぞれに対するボルト２が埋設されている。
【００３０】
ブロック１ｂ及び１ｄは、隣り合うブロック１ａ、１ｃ及び１ｅに埋設されているボルト２が挿入される筒状体３が、ボルト２に対応する所定の個所に埋設されている。ブロック１ｂ及び１ｄは箱抜き部５が形成されており、ブロック１ａ、１ｃ及び１ｅのボルト２とブロック１ｂ及び１ｄの筒状体３との連結用箱抜き部である。この図において、ボルト２は筒状体３に挿通されて箱抜き部５に突出している。
【００３１】
図１及び図２に示した各ブロックは、図３及び図４に示すようにして連結する。
【００３２】
まず、ブロック１ａ、１ｂ、１ｃ、１ｄ及び１ｅにおいて、それぞれ隣り合うブロックのボルト２と筒状体３を筒状体３にボルト２を挿入して、各箱抜き部５を介してボルト２とナット４を結合する。このとき、埋設ジョイント１全体の伸縮が可能になるように必要な目地間隙を設けておき、この目地間隙にＥＰＤＭスポンジ等の伸縮材８を介装する。また、ボルト及びナットを使用したことで全体の伸びを調整することもできる。
【００３３】
箱抜き部５には、図５及び図６に示すように充填材９を流し込み、全体として埋設ジョイント１を形成する。
【００３４】
図７及び図８は、上述した埋設ジョイント１の施工方法の説明図で、図７は上述の埋設ジョイントを遊間をはさんで向い合う床版に据え付けた状態を示す概略斜視図、図８は橋軸方向を見た概略断面図である。
【００３５】
上図において、１１（１１ａ、１１ｂ）は床版、１２は遊間、１３はコンクリートアンカー、１４は樹脂モルタルである。
【００３６】
この例において、アンカーボルト用箱抜き部６は、埋設ジョイント１のブロック１ａ及び１ｂに開口されている。
【００３７】
まず、埋設ジョイント１を遊間１２をはさんで向い合う床版１１ａ及び１１ｂの切り欠き部に、ブロック１ａ及び１ｅに、床版１１ａ及び１１ｂに埋設されているコンクリートアンカー１３が位置するようにして載置し、床版１１と埋設ジョイント１の隙間及びアンカーボルト用箱抜き部６に樹脂モルタルを充填することによって据付ける。
【００３８】
ついで、埋設ジョイント１の表面にアスファルト舗装１６を行う。なお、１５はバックアップ材、１７はスライディングシートでスライディングシート１７は必要に応じて埋設ジョイントの下面に設置する。
【００３９】
この埋設ジョイントの床版への据付けは、ブロックのアンカーボルト用箱抜き部と床版に埋設されたコンクリートアンカーによって行われるのできわめて簡単である。
【００４０】
図９乃至図１１は、伸縮継手の気温による連動した伸縮状態を示す説明図である。
【００４１】
図９は埋設ジョイントの設置時の向い合い床版１１ａと１１ｂの遊間幅と埋設ジョイントのブロックの目地間隙状態を示し、図１０は設置時よりも気温が上昇したときの向い合い床版１１ａと１１ｂの遊間幅と埋設ジョイントのブロックの目地間隙状態を示し、図１１は設置時よりも気温が下降したときの向い合い床版１１ａと１１ｂの遊間幅と埋設ジョイントのブロックの目地間隙状態を示す。
【００４２】
これらの図から、埋設ジョイント設置時より気温が上昇したときは、床版１１ａ及び１１ｂが伸びるため、遊間１２は縮小し、気温が下降したときは、床版１１ａ及び１１ｂが縮むため、遊間１２が拡大することが分る。
【００４３】
遊間１２が縮小したときは、ブロック１ａ、１ｂ、１ｃ、１ｄ及び１ｅ間の目地間隙７も縮小する。遊間１２が拡大したときは、ブロック１ａ、１ｂ、１ｃ、１ｄ及び１ｅ間の目地間隙７も拡大する。目地間隙７の拡大及び縮小は、それぞれのブロックの隙間が伸縮可能になるように連結具で結合されているので、すなわち、この例においては、連結具（図示しない）が筒状体と棒状体とからなるので間隙の広狭によって互いに移動しあうので、容易となる。
【符号の説明】
【００４４】
１      ジョイント本体
１ａ    一方のブロック
１ｂ    他方のブロック
１ｃ    一方のブロック
１ｄ    他方のブロック
１ｅ    一方のブロック
２      棒状体
３      筒状体
４      ナット
５      連結用箱抜き部
６      アンカーボルト用箱抜き部
７      目地間隙
８      伸縮材
９      充填材
１１    床版
１１ａ  床版
１１ｂ  床版
１２    遊間
１３    コンクリートアンカー
１４    樹脂モルタル
【図１】
0005442341.tif 000002
【図２】
0005442341.tif 000003
【図３】
0005442341.tif 000004
【図４】
0005442341.tif 000005
【図５】
0005442341.tif 000006
【図６】
0005442341.tif 000007
【図７】
0005442341.tif 000008
【図８】
0005442341.tif 000009
【図９】
0005442341.tif 000010
【図１０】
0005442341.tif 000011
【図１１】
0005442341.tif 000012